(57)【要約】      （修正有）【課題】複数のアンテナを備えていても、アンテナ同士の相互干渉を防ぎ、且つ手などの人体による電波障害をも防ぐことができる携帯端末装置を提供する。【解決手段】表示パネルを有する表示搭載部３およびキーボードを有する握り部５を備えた装置本体１と、この装置本体１内における表示パネルの上辺部側に対応する箇所に設けられて全地球的な通信に使用する第１アンテナ１１と、表示パネル２の一方の側辺部側に対応する箇所に設けられて携帯電話の通信に使用する第２アンテナ１２と、表示パネルの他方の側辺部側に対応する箇所に設けられて建物内での通信に使用する第３アンテナ１３とを備えた。従って、第１〜第３の各アンテナ１１〜１３を備えていても、装置本体１を手に持って使用する際、第１〜第３の各アンテナ１１〜１３に対する手などの人体による電波障害を防ぎ、且つアンテナ同士の相互干渉を防ぐことができる。【選択図】図４
0003145023.tif 000002
【実用新案登録請求の範囲】
【請求項１】
表示部が搭載されている表示搭載部およびキーボードが搭載されている握り部を有する装置本体と、
この装置本体の前記表示搭載部内における前記表示部の上辺部側に対応する箇所に設けられて全地球的な通信に使用する第１アンテナと、
前記表示搭載部内における前記表示部の一方の側辺部側に対応する箇所に設けられて携帯電話の通信に使用する第２アンテナと、
前記表示搭載部内における前記表示部の他方の側辺部側に対応する箇所に設けられて建物内での通信に使用する第３アンテナと、
を備えていることを特徴とする携帯端末装置。
【請求項２】
前記装置本体内における前記表示部の裏面側に設けられた回路基板と、この回路基板における前記表示部に対応する箇所で、且つ前記第２アンテナから離れた箇所に設けられて近距離通信に使用する第４アンテナとを備えていることを特徴とする請求項１に記載の携帯端末装置。
【請求項３】
前記第１アンテナは、前記表示部の表示面に対し斜め上方に向けて傾いた状態で設けられ、前記握り部を手で持って前記装置本体を使用者に向けて傾けた際に、受信面がほぼ鉛直方向に向くように構成されていることを特徴とする請求項１または請求項２に記載の携帯端末装置。
【請求項４】
前記装置本体は、前記表示部が配置される上部ケースと、この上部ケースの下部に取り付けられる下部ケースと、前記表示部の側辺部側に位置する前記上部ケース内に着脱可能に取り付けられるねじ固定部材とを備え、このねじ固定部材を前記上部ケース内に取り付け、この状態で前記ねじ固定部材に前記下部ケースをねじによって固定したことを特徴とする請求項１〜請求項３のいずれかに記載の携帯端末装置。
【請求項５】
前記上部ケースと前記下部ケースとがねじ止めされていない箇所には、前記上部ケースと前記下部ケースとを接合した際、その相互のずれを防止するためのずれ防止部がそれぞれ設けられていることを特徴とする請求項４に記載の携帯端末装置。
【請求項６】
前記握り部には、フック部を有する電池蓋が着脱可能に取り付けられる電池収納部が設けられており、この電池収納部には、その開口部の全周に亘ってパッキンを取り付けるためのパッキン溝が設けられていると共に、このパッキン溝の外周側上部に位置して前記電池蓋の前記フック部が挿入するフック挿入凹部が、前記電池収納部の内部側と前記電池収納部の外部下側とに開放された状態で設けられていることを特徴とする請求項１〜請求項５のいずれかに記載の携帯端末装置。
【請求項７】
前記表示部の表示面を除いて前記表示部を覆う弾性材料からなるパネルホルダと、このパネルホルダを収容する硬質の合成樹脂からなるパネルフレームとを備えていることを特徴とする請求項１〜請求項６のいずれかに記載の携帯端末装置。
【請求項８】
前記装置本体内にはカメラユニットが設けられており、このカメラユニットは、カメラ本体と、このカメラ本体を覆って保護する弾性材料からなるカメラホルダと、このカメラホルダを覆うシールドケースと、このシールドケースおよび前記カメラホルダで覆われた前記カメラ本体を収容する硬質の合成樹脂からなるカメラケースとを備えていることを特徴とする請求項１〜請求項７のいずれかに記載の携帯端末装置。
【考案の詳細な説明】
【技術分野】
【０００１】
この考案は、複数のアンテナを搭載して複数種類の通信が行える携帯端末装置に関する。
【背景技術】
【０００２】
従来、携帯端末装置においては、特許文献１に記載されているように、表示部を備えた第１ケースと、キーボードを備えた第２ケースとを、連結部で折畳可能に連結し、第１ケースと第２ケースとを開いた状態で、第２ケースから最も離れた第１ケースの箇所に無線通信用の第１アンテナを設け、且つこの状態で第１ケースから最も離れた第２ケースの箇所に通話用の第２アンテナを設けた構成のものが知られている。
【特許文献１】特開２００３−１６３５２１
【考案の開示】
【考案が解決しようとする課題】
【０００３】
しかしながら、このような従来の携帯端末装置では、第１ケースと第２ケースとを開いて使用する際には、無線通信用の第１アンテナと通話用の第２アンテナとを最大限に離してアンテナ同士の相互干渉を防ぐことができるが、第１ケースと第２ケースとを折り畳んで重ね合わせた際には、無線通信用の第１アンテナと通話用の第２アンテナとが重なり合って接近するので、無線通信用の第１アンテナと通話用の第２アンテナとが相互干渉を起こし易いという問題がある。
【０００４】
また、このような従来の携帯端末装置では、第１ケースに表示部が設けられ、第２ケースにキーボードが設けられていることにより、第１ケースと第２ケースとを開いて使用する際、キーボードが設けられている第２ケースを手で持って使用すると、手に持った第２ケースの通話用の第２アンテナが手などの人体によって電波障害を受けや易くなり、また逆に表示部が設けられている第１ケースを手で持って使用すると、手に持った第１ケースの無線通信用の第１アンテナが手などの人体によって電波障害を受け易くなるという問題もある。
【０００５】
この考案が解決しようとする課題は、複数のアンテナを備えていても、アンテナ同士の相互干渉を防ぎ、且つ複数のアンテナに対する手などの人体による電波障害をも防ぐことができる携帯端末装置を提供することである。
【課題を解決するための手段】
【０００６】
この考案は、上記課題を解決するために、次のような構成要素を備えている。
請求項１に記載の考案は、表示部が搭載されている表示搭載部およびキーボードが搭載されている握り部を有する装置本体と、この装置本体の前記表示搭載部内における前記表示部の上辺部側に対応する箇所に設けられて全地球的な通信に使用する第１アンテナと、前記表示搭載部内における前記表示部の一方の側辺部側に対応する箇所に設けられて携帯電話の通信に使用する第２アンテナと、前記表示搭載部内における前記表示部の他方の側辺部側に対応する箇所に設けられて建物内での通信に使用する第３アンテナと、を備えていることを特徴とする携帯端末装置である。
【０００７】
請求項２に記載の考案は、前記装置本体内における前記表示部の裏面側に設けられた回路基板と、この回路基板における前記表示部に対応する箇所で、且つ前記第２アンテナから離れた箇所に設けられて近距離通信に使用する第４アンテナとを備えていることを特徴とする請求項１に記載の携帯端末装置である。
【０００８】
請求項３に記載の考案は、前記第１アンテナが、前記表示部の表示面に対し斜め上方に向けて傾いた状態で設けられ、前記握り部を手で持って前記装置本体を使用者に向けて傾けた際に、受信面がほぼ鉛直方向に向くように構成されていることを特徴とする請求項１または請求項２に記載の携帯端末装置である。
【０００９】
請求項４に記載の考案は、前記装置本体が、前記表示部の配置される上部ケースと、この上部ケースの下部に取り付けられる下部ケースと、前記表示部の側辺部側に位置する前記上部ケース内に着脱可能に取り付けられるねじ固定部材とを備え、このねじ固定部材を前記上部ケース内に取り付け、この状態で前記ねじ固定部材に前記下部ケースをねじによって固定したことを特徴とする請求項１〜請求項３のいずれかに記載の携帯端末装置である。
【００１０】
請求項５に記載の考案は、前記上部ケースと前記下部ケースとがねじ止めされていない箇所に、前記上部ケースと前記下部ケースとを接合した際、その相互のずれを防止するためのずれ防止部がそれぞれ設けられていることを特徴とする請求項４に記載の携帯端末装置である。
【００１１】
請求項６に記載の考案は、前記握り部に、フック部を有する電池蓋が着脱可能に取り付けられる電池収納部が設けられており、この電池収納部には、その開口部の全周に亘ってパッキンを取り付けるためのパッキン溝が設けられていると共に、このパッキン溝の外周側上部に位置して前記電池蓋の前記フック部が挿入するフック挿入凹部が、前記電池収納部の内部側と前記電池収納部の外部下側とに開放された状態で設けられていることを特徴とする請求項１〜請求項５のいずれかに記載の携帯端末装置である。
【００１２】
請求項７に記載の考案は、前記表示部の表示面を除いて前記表示部を覆う弾性材料からなるパネルホルダと、このパネルホルダを収容する硬質の合成樹脂からなるパネルフレームとを備えていることを特徴とする請求項１〜請求項６のいずれかに記載の携帯端末装置。
【００１３】
請求項８に記載の考案は、前記装置本体内にカメラユニットが設けられており、このカメラユニットは、カメラ本体と、このカメラ本体を覆って保護する弾性材料からなるカメラホルダと、このカメラホルダを覆うシールドケースと、このシールドケースおよび前記カメラホルダで覆われた前記カメラ本体を収容する硬質の合成樹脂からなるカメラケースとを備えていることを特徴とする請求項１〜請求項７のいずれかに記載の携帯端末装置である。
【考案の効果】
【００１４】
この考案によれば、装置本体の握り部を手に持って使用することにより、装置本体の表示搭載部に設けられた第１〜第３の各アンテナが手などの人体による電波障害を受けにくくすることができ、また第１〜第３の各アンテナが表示部の周囲に沿って相互に離れて配置されていることにより、アンテナ同士の相互干渉を軽減できる。このため、複数のアンテナを備えていても、アンテナ同士の相互干渉を防ぎ、且つ複数のアンテナに対する手などの人体による電波障害をも防ぐことができ、これにより複数のアンテナの各受信性能を十分に確保することができる。
【考案を実施するための最良の形態】
【００１５】
以下、図１〜図３６を参照して、この考案を適用した携帯端末装置の一実施形態について説明する。
この携帯端末装置は、多機能型のものであり、図１および図２に示すように、装置本体１を備えている。この装置本体１は、表示パネル２を搭載する表示搭載部３と、キーボード４を搭載する握り部５とを備え、図１に示すように、表示搭載部３が握り部５よりも幅広に形成されていることにより、全体がほぼ羽子板状に形成されている。
【００１６】
この装置本体１は、図１〜図４に示すように、上部ケース６と下部ケース７とで構成されている。また、この装置本体１内には、図３〜図１０に示すように、モジュール８が組み込まれている。このモジュール８は、図３および図４に示すように、表示搭載部３側に表示パネル２、第１回路基板１０、第１〜第４の各アンテナ１１〜１４、およびカメラユニット１５を備え、握り部５側にキーボード４、第２回路基板１６、および電池収納部１７を備えた構成になっている。
【００１７】
表示パネル２は、液晶表示素子やＥＬ（エレクトロルミネッセンス）素子などの表示素子からなり、第１回路基板１０と電気的に接続され、各種のデータを電気光学的に表示するように構成されている。この表示パネル２は、図１に示すように、その表示面が上部ケース６に設けられた表示開口部６ａに対応した状態で装置本体１の表示搭載部３内に配置されている。
【００１８】
これにより、表示パネル２は、上部ケース６の表示開口部６ａを通して表示された情報が上部ケース６の外部から見えるように構成されている。この場合、表示パネル２の上面には、図３に示すように、透明なタッチパネル１８が設けられている。この透明なタッチパネル１８は、タッチペン１８ａでタッチ操作することによりサイン（記名）などの情報を入力し、その入力された情報が表示パネル２に表示されるように構成されている。
【００１９】
第１〜第４の各アンテナ１１〜１４のうち、第１アンテナ１１は、全地球的な通信に使用するアンテナ（ＧＰＳアンテナ）であり、図３〜図５に示すように、表示搭載部３内における表示部３の上辺部側に対応する箇所に設けられている。このＧＰＳ用の第１アンテナ１１は、セラミック製のパッチ型のものであり、図９および図１１に示すように、耐衝撃性を確保するように構成されている。
【００２０】
すなわち、この第１アンテナ１１は、図１１に示すように、その受信面を除いてシリコーンなどの弾性材料からなるアンテナホルダ２０で覆われ、この状態で硬質の合成樹脂からなる上部ケース６に一体に形成されたアンテナケース部２１内に収容され、上部ケース６の上辺部に配置されている。この場合、アンテナケース部２１の外面には、第１アンテナ１１の接地面積を確保するための金属板２２が配置されている。この金属板２２は、第１回路基板１０のグランドに接続されている。
【００２１】
また、この第１アンテナ１１は、微弱な電波を受信するため、電波の指向性を確保する必要がある。このため、この第１アンテナ１１は、図１１に示すように、装置本体１の握り部５を手で握って表示搭載部３の表示パネル２を使用者が見やすい角度に傾けた際、受信面がほぼ鉛直方向を向くように、表示パネル２の表示面に対し斜め上方に向けて傾いた状態で配置されている。なお、この第１アンテナ１１の下側、つまりアンテナケース部２１の下側には、情報を光学的に読み取るスキャナ１９が設けられている。
【００２２】
第２アンテナ１２は、携帯電話の通信に使用するアンテナ（ＧＳＭアンテナ）であり、図５〜図７、および図１０に示すように、表示搭載部３内における表示パネル２の一方の側辺部側（図５では右辺部側で、図１０では左辺部側）に対応する箇所に設けられて、第１回路基板１０と電気的に接続されている。この第２アンテナ１２は、モノポールアンテナであり、受信面積を広くするためにフイルム基板にアンテナ線をパターン形成したシート状に構成されている。
【００２３】
すなわち、この第２アンテナ１２は、図５〜図７に示すように、装置本体１の内側面の高さとほぼ同じ幅で、且つ装置本体１の内側面に沿って長く形成されている。また、この第２アンテナ１２は、図１０および図１２に示すように、第２アンテナ１２の接地面積を十分に確保するために、マグネシウムのダイカスト製の金属板２３にねじ止めされ、この状態で接続配線２４によって第１回路基板１０と電気的に接続されている。
【００２４】
この場合、金属板２３は、第１回路基板１０のグランドに接続されている。また、接続配線２４は、図１２に示すように、第１回路基板１０を覆ってシールドする金属シャーシ２５上を通過して第１回路基板１０に接続されるため、接続配線２４によるノイズの影響を防ぐ必要がある。このため、接続配線２４は、金属シャーシ２５上に位置する部分が金属製のシール板２６で包まれている。
【００２５】
第３アンテナ１３は、家や工場などの建物内での通信に使用するアンテナ（ＬＡＮアンテナ）であり、図５、図６、図８および図１０に示すように、表示搭載部３内における表示パネル２の他方の側辺部側（図５では左辺部側で、図１０では右辺部側）に対応する箇所に設けられている。この第３アンテナ１３は、ダイポールアンテナであり、フイルム基板にアンテナ線をパターン形成した細長いシート状に構成され、装置本体１の内側面に沿って配置され、この状態で第１回路基板１０に電気的に接続されている。
【００２６】
第４アンテナ１４は、近距離通信に使用するBlueToothアンテナであり、図６および図９に示すように、装置本体１内における表示パネル２の下面側に位置する第１回路基板１０に設けられている。この第４アンテナ１４は、チップ形状のアンテナであり、図６および図９に示すように、第２アンテナ１２から離れた位置で、且つ表示パネル２の中心から第３アンテナ１３側に偏った位置に設けられている。また、この第４アンテナ１４は、装置本体１の下面に取り付けられる機能増設用のオプションボックス(図示せず)を回避するようにも設けられている。
【００２７】
キーボード４は、図１に示すように、テンキー、カーソルキー、ファンクションキーなどの各種のキーを備え、各キーの上部が握り部５の上部ケース６から上面側に露出した状態で、図４に示すように、上部ケース６内の第２回路基板１６上に配置され、キー操作によって情報を入力すると共に、表示パネル２に表示される情報を選択するように構成されている。この第２回路基板１６は、図４に示すように、上部ケース６内の厚み方向（上下方向）におけるほぼ中間位置に配置されている。
【００２８】
これにより、この第２回路基板１６の下側には、電池収納部１７が設けられている、この電池収納部１７は、図２および図４に示すように、握り部５の上部ケース６における厚み方向のほぼ中間位置から下部ケース７の厚み方向における全域に亘って設けられている。この電池収納部１７は、その内部に複数の電池（図示せず）を収納するものであり、図２および図２１に示すように、後述する電池蓋２７が下部ケース７に着脱可能に取り付けられるように構成されている。
【００２９】
ところで、この携帯端末装置の装置本体１は、耐衝撃性を確保するように構成されている。すなわち、この装置本体１は、上部ケース６と下部ケース７とを強固に取り付けるために、図２に示すように、上部ケース６と下部ケース７との四隅およびその中間部が合計６個のビス２９によって取り付けられているほか、図３および図４に示すように、上部ケース６と下部ケース７とにおける表示パネル２の左右両側に位置する箇所が一対のねじ固定部材３０によっても取り付けられている。
【００３０】
すなわち、一対のねじ固定部材３０は、それぞれ図１３および図１４に示すように、上部ケース６に取り付けられる上部取付部３１と、下部ケース７を取り付けるための下部取付部３２と、上部取付部３１と下部取付部３２とを連結すると共に下部ケース７の内側面に密接する密着連結部３３とを備え、表示パネル２の両側辺部を回避する位置に着脱可能に取り付けられるように構成されている。
【００３１】
この場合、上部取付部３１は、図１４に示すように、上部ケース６と下部ケース７とがビス２９で固定されていない箇所、つまり表示パネル２の側辺部に対応する上部ケース６の内側面における上部側に設けられたねじ孔３４ａを有する一対の固定ボス３４に対応する一対のねじ挿入孔部３１ａと、一対の固定ボス３４の間に位置して上部ケース６の内側面に設けられたガイド係止部３５に係脱可能に係合する位置規制係合部３１ｂとを備えている。
【００３２】
これにより、ねじ固定部材３０は、図１３および図１４に示すように、その上部取付部３１を上部ケース６に取り付ける際に、上部ケース６のガイド係止部３５に上部取付部３１の位置規制係合部３１ｂを係合させて、上部取付部３１を上部ケース６に対して位置規制し、この状態で上部取付部３１のねじ挿入孔部３１ａにビス３６を下側から挿入させて、上部ケース６の固定ボス３４のねじ孔３４ａに螺入させて締め付けることにより、上部ケース６に着脱可能に強固に取り付けられるように構成されている。
【００３３】
また、下部取付部３２は、図１４に示すように、上部取付部３１の下側に位置し、その中心部にねじ孔３２ａが上下方向に沿って設けられている。これにより、下部取付部３２は、図３に示すように、下部ケース７の内面に設けられたボス部３７に当接し、この状態でボス部３７の孔を通してビス３８が下側から下部取付部３２のねじ孔３２ａに螺入して締め付けることにより、下部ケース７がねじ固定部材３０に強固に取り付けられるように構成されている。
【００３４】
密着連結部３３は、図１３および図１４に示すように、上部取付部３１と下部取付部３２とを連結する角棒状の連結部３３ａを備え、この連結部３３ａが表示パネル２の邪魔にならないように、その側辺部の側方に位置している。また、この密着連結部３３は、連結部３３ａの外側面が下部ケース７の内側面に沿って湾曲する湾曲面３３ｂに形成され、下部ケース７がねじ固定部材３０の下部取付部３２にビス３８で固定された際に、湾曲面３３ｂが下部ケース７の内側面に密着するように構成されている。
【００３５】
これにより、このねじ固定部材３０は、図１３および図１４に示すように、上部取付部３１を上部ケース６の固定ボス３４にビス３６で固定し、この状態で下部ケース７の内側面を密着連結部３３の湾曲面３３ｂに密接させて、下部取付部３２に下部ケース７のボス部３７をビス３８で固定することにより、密着連結部３３の湾曲面３３ｂが下部ケース７の内側面に密着した状態で、表示パネル２の側方に位置する箇所の上部ケース６と下部ケース７とを強固に連結固定するように構成されている。
【００３６】
また、この装置本体１の上部ケース６と下部ケース７との所定箇所、つまり上部ケース６と下部ケース７とがビス２９およびねじ固定部材３０で固定されていない箇所には、図１５〜図１９に示すように、上部ケース６と下部ケース７とが相互にずれるのを阻止するために、それぞれ第１、第２の各ずれ防止部４０、４１が設けられている。すなわち、上部ケース６の周縁部には、図１５〜図１９に示すように、その下端部から内面に沿って凹部形状に形成された複数の第１ずれ防止部４０が設けられている。
【００３７】
下部ケース７の周縁部には、図１５〜図１９に示すように、その上端部から上方に向けて突出する凸部形状に形成された複数の第２ずれ防止部４１が設けられている。この場合、第１、第２の各ずれ防止部４０、４１は、図１５に示すように、上部ケース６と下部ケース７とがビス２９およびねじ固定部材３０で固定されていない箇所、つまり表示パネル２の上辺側と下辺部とにおける各側方に位置する箇所、および握り部５の電池収納部１７における側部の中間部に位置する箇所に、それぞれ設けられている。
【００３８】
これにより、上部ケース６と下部ケース７とは、その両者を接合する際、図１６〜図１９に示すように、上部ケース６の第１ずれ防止部４０に下部ケース７の第２ずれ防止部４１を対応させ、この状態で図１５および図１８に示すように、第１ずれ防止部４０の凹部に第２ずれ防止部４１の凸部を嵌合させることにより、上部ケース６と下部ケース７とが接合された際に、その両者のねじれに対するずれや隙間の発生を防ぐように構成されている。
【００３９】
ところで、この装置本体１の電池収納部１７は、図２０〜図２２に示すように、防水性を確保している。すなわち、この電池収納部１７の電池開口部１７ａの周囲には、パッキン溝４２が連続して形成されており、このパッキン溝４２内には、防水パッキン４３がその上端部を少し上方に突出させた状態で、無端状に連続して圧入されている。また、この電池収納部１７を開閉自在に塞ぐ電池蓋２７は、図２１に示すように、その外周部に設けられたフック部２７ａが下部ケース７に設けられたフック挿入凹部４４に挿入して係止されることにより、下部ケース７に対して係脱可能に取り付けられるように構成されている。
【００４０】
この場合、下部ケース７のフック挿入凹部４４は、図２１に示すように、電池収納部１７のパッキン溝４２の外周側で、且つパッキン溝４２の上端部の上側に対応する位置に、電池収納部１７の内部側に向けて開放されて形成されていると共に、下部ケース７の下側（図２２では上側）に向けても開放された状態で形成されている。これにより、下部ケース７のフック挿入凹部４４を成形用金型で形成する場合には、スライドコアを用いずに、上金型と下金型のみで、下部ケース７にフック挿入凹部４４を形成することができる。
【００４１】
また、このフック挿入凹部４４の下部には、図２１および図２２に示すように、電池収納部１７の防水性を確保するために、補助部材４５が両面接着テープ４５ａを介してビス４６によって取り付けられている。すなわち、この補助部材４５は、図２１に示すように、その上部（図２２では下部）がフック挿入凹部４４の下部に位置する下部ケース７の成形用金型による成形孔４４ａに挿入し、下部（図２２では上部）が下部ケース７の側面に沿って下側（図２２では上側）に延びて下部ケース７の外側面に当接し、この状態で補助部材４５の下部と上部との境界部分が枠形状の両面接着テープ４５ａによって下部ケース７の下面に接着されている。
【００４２】
一方、この携帯端末装置の表示パネル２は、図２３〜図３２に示すように、耐衝撃性を確保するように構成されている。すなわち、表示パネル２は、図２３〜図２５に示すように、シリコーンなどの弾性部材からなるパネルホルダ４７によって、表示パネル２の表示面における表示領域を除いて包み込まれ、この状態でパネルフレーム４８に取り付けられて、装置本体１の上部ケース６内に取り付けられるように構成されている。
【００４３】
パネルホルダ４７は、図２３および図２４に示すように、表示パネル２の背面全体を覆うホルダ本体５０と、このホルダ本体５０の周囲に設けられて表示パネル２の周縁部を挟み込む枠状部５１とを備えている。この場合、ホルダ本体５０の所定箇所には、複数のばね挿入孔５０ａがそれぞれ設けられていると共に、凹凸形状の段差部５０ｂが設けられている。また、枠状部５１の側面には、パネルフレーム４８に対して固定するための複数の固定突起５１ａがそれぞれ設けられており、この枠状部５１の正面側における各角部には、図２３に示すように、表示パネル２を枠状部５１に挟み込み易くするための切込み溝５１ｂがそれぞれ設けられている。
【００４４】
パネルフレーム４８は、硬質の合成樹脂からなり、図２５〜図３０に示すように、パネルホルダ４７で包まれた表示パネル２が取り付けられるパネル装着部５２を備えている。このパネル装着部５２には、図２９および図３０に示すように、パネルホルダ４７に設けられた複数の固定突起５１ａがそれぞれ嵌合する複数の嵌合孔５２ａが設けられていると共に、図３１および図３２に示すように、接続ばね５３が挿入するばね挿入孔５４がパネルホルダ４７に設けられたばね挿入孔５０ａに対応して設けられている。
【００４５】
接続ばね５３は、図３１に示すように、表示パネル２と第１回路基板１０とを電気的に接続するためのものであり、図３２に示すように、コイルばねからなり、その一端部５３ａがパネルホルダ４７のばね挿入孔５０ａを通して表示パネル２に弾接し、他端部５３ｂがパネルフレーム４８のばね挿入孔５４を通して第１回路基板１０のグランド電極１０ａに弾接するように構成されている。
【００４６】
この場合、接続ばね５３の他端部５３ｂには、その外径よりも外周側に向けて突出する抜止め突起５３ｃが設けられている。これに伴って、パネルフレーム４８のばね挿入孔５４は、図３２に示すように、接続ばね５３が挿入する円形孔５４ａのほかに、接続ばね５３の抜止め突起５３ｃが挿入する挿入溝５４ｂが、円形孔５４ａ内に開放された状態で設けられた構成になっている。
【００４７】
これにより、接続ばね５３をパネルフレーム４８のばね挿入孔５４に挿入する際には、接続ばね５３の抜止め突起５３ｃをばね挿入孔５４の挿入溝５４ｂに挿入させながら、接続ばね５３を円形孔５４ａ内に挿入する。そして、抜止め突起５３ｃが挿入溝５４ｂを通過してパネルフレーム４８の他面側に突出したときには、接続ばね５３を回して、抜止め突起５３ｃを挿入溝５４ｂに対応しない位置に移動させることにより、組立て時にパネルフレーム４８を上下反転させても、抜止め突起５３ｃがばね挿入孔５４の縁部に当接することにより、接続ばね５３がパネルフレーム４８から脱落するのを防いでいる。
【００４８】
一方、カメラユニット１５は、図４、図３３〜図３６に示すように、耐衝撃性を確保するように構成されている。すなわち、このカメラユニット１５は、カメラ本体５６とフラッシュ部５７とを収容するカメラホルダ５８と、このカメラホルダ５８に収容されたカメラ本体５６とフラッシュ部５７とを押える緩衝シート６０と、この緩衝シート６０とカメラホルダ５８とを包み込むシールドケース６１と、このシールドケース６１を介してカメラホルダ５８を収容するカメラケース６２とを備えている。
【００４９】
この場合、カメラ本体５６とフラッシュ部５７とは、図３４に示すように、フイルム基板６３によって電気的に接続されている。カメラホルダ５８は、シリコーンなどのゴム材料からなるほぼ箱形状に形成され、その内部がカメラ本体５６を収納するカメラ収納部５８ａと、フラッシュ部５７を収納するフラッシュ収納部５８ｂとに分割され、その下面（図３５では上面）にカメラ開口部５８ｃとフラッシュ開口部５８ｄとが設けられている。また、このカメラホルダ５８の外側面には、複数のフック部５８ｅが設けられている。
【００５０】
緩衝シート６０は、シリコーンなどのゴム材料からなり、カメラホルダ５８内に収納されたカメラ本体５６とフラッシュ部５７とを弾力的に押えるように構成されている。シールドケース６１は、図３５に示すように、金属板からなるほぼ箱状に形成され、カメラホルダ５８が上方から挿入するように構成されている。この場合、シールドケース６１の下部側には、図３６(ｂ)に示すように、カメラホルダ５８のフック部５８ｅを係脱可能に係止する係止孔６１ａが設けられており、シールドケース６１の上端部には、カメラケース６２の上面の縁部を係止する係止鍔部６１ｂが設けられている。
【００５１】
カメラケース６２は、図３３および図３５に示すように、硬質の合成樹脂からなるほぼ箱形状に形成され、シールドケース６１で包まれたカメラホルダ５８を収容し、この状態で図４に示すように装置本体１の上部ケース６に取り付けられるように構成されている。この場合、カメラユニット１５は、図４に示すように、上部ケース６に下向きに取り付けられ、図２に示すように、カメラホルダ５８のカメラ開口部５８ｃとフラッシュ開口部５８ｄとが下部ケース７から下側に露出するように装置本体１内に組み込まれている。
【００５２】
次に、このような多機能型の携帯端末装置を使用する場合について説明する。
この携帯端末装置は、例えば運送業に使用され、荷物の情報をスキャナ１９で取り込み、第１アンテナ１１（ＧＰＳアンテナ）で配送センターと交信し、第２アンテナ１２（ＧＳＭアンテナ）でデータの授受を行い、配達先の顧客のサインを表示パネル２のタッチパネル１８で取り込み、荷物を搭載したコンテナの損傷などをカメラユニット１５のカメラ本体５６で撮影する。また、この携帯端末装置は、配送センターから呼び出された際に、スピーカ（図示せず）で警報を発し、マイクロホン（図示せず）で音声メモが可能になっている。さらに、この携帯端末装置は、装置本体１の背面にオプションボックス（図示せず）を取り付けて機能を増設できるようになっている。
【００５３】
このように、この携帯端末装置によれば、表示パネル２が搭載されている表示搭載部３およびキーボード４が搭載されている握り部５を有する装置本体１と、この装置本体１の表示搭載部３内における表示パネル２の上辺部側に対応する箇所に設けられて全地球的な通信に使用する第１アンテナ１１と、表示搭載部３内における表示パネル２の一方の側辺部側に対応する箇所に設けられて携帯電話の通信に使用する第２アンテナ１２と、表示搭載部３内における表示パネル２の他方の側辺部側に対応する箇所に設けられて建物内での通信に使用する第３アンテナ１３とを備えているので、第１〜第３の各アンテナ１１〜１３を備えていても、各アンテナ１１〜１３同士の相互干渉を防ぎ、且つ第１〜第３の各アンテナ１１〜１３に対する手などの人体による電波障害をも防ぐことができる。
【００５４】
すなわち、この携帯端末装置では、装置本体１の握り部５を手に持って使用することにより、装置本体１の表示搭載部３に設けられた第１〜第３の各アンテナ１１〜１３が手などの人体による電波障害を受けにくくすることができる。また、第１〜第３の各アンテナ１１〜１３が表示パネル２の周囲に沿って相互に離れて配置されていることにより、アンテナ１１〜１３同士の相互干渉を軽減できる。このため、第１〜第３の各アンテナ１１〜１３を備えていても、アンテナ１１〜１３同士の相互干渉を防ぎ、且つ第１〜第３の各アンテナ１１〜１３に対する手などの人体による電波障害をも防ぐことができ、これにより第１〜第３の各アンテナ１１〜１３の各受信性能を確保することができる。
【００５５】
この場合、装置本体１内における表示パネル２の下面側に位置する第１回路基板１０には、近距離通信に使用する第４アンテナ１４が第２アンテナ１２から離れて設けられているので、装置本体１の握り部５を手に持って使用することにより、装置本体１の表示搭載部３内に設けられた第４アンテナ１４が手などの人体による電波障害を受けにくくすることができ、また第４アンテナ１４が表示パネル２の下側に配置されて第２アンテナ１２から離れているので、第４アンテナ１４を備えていても、第１〜第３の各アンテナ１１〜１３との相互干渉を軽減できる。
【００５６】
特に、全地球的な通信（ＧＰＳ）に使用する第１アンテナ１１は、表示パネル２の表示面に対し斜め上方に向けて傾いた状態で設けられ、握り部５を手で持って装置本体１を使用者に向けて傾けた際に、受信面がほぼ鉛直方向に向くように構成されているので、第１アンテナ１１の電波に対する指向性が良く、人体による電波障害の影響も少なく、電波が微弱であっても、良好に受信することができる。この場合、第１アンテナ１１の下面側には、金属板２２が配置され、この金属板２２が第１回路基板のグランドに接続されているので、第１アンテナ１１の接地面積を十分に確保することができ、これによっても受信性能および指向性を高めることができる。
【００５７】
また、携帯電話の通信（ＧＳＭ）に使用する第２アンテナ１２は、フイルム基板にアンテナ線をパターン形成したシート状に構成され、装置本体１の内側面の高さとほぼ同じ幅で、且つ装置本体１の内側面に沿って長く形成されているので、受信面積を十分に広くすることができ、これにより受信性能を確保することができる。この場合、第２アンテナ１２は、マグネシウムのダイカスト製の金属板２３に取り付けられているので、第２アンテナ１２の接地面積を広くして受信性能を十分に高めることができる。
【００５８】
また、この第２アンテナ１２の接続配線２４は、金属シャーシ２５上に位置する箇所が金属製のシール板２６で包まれているので、接続配線２４によるノイズの障害を防ぐことができる。さらに、近距離通信に使用する第４アンテナ１４は、装置本体１内における表示パネル２の下面側に位置する第１回路基板１０に、第２アンテナ１２から離れた位置で、且つオプションボックス（図示せず）を避けた位置に設けられているので、第２アンテナ１２およびオプションボックスの影響を受けにくくすることができ、これにより第４アンテナ１４がチップ状に形成されていても、良好に電波を受信することができる。
【００５９】
また、この携帯端末装置では、装置本体１が、表示パネル２側の上部ケース６と、この上部ケース６の下部に取り付けられる下部ケース７と、表示パネル２の側辺部側に位置する上部ケース６内に着脱可能に取り付けられるねじ固定部材３０とを備え、このねじ固定部材３０を上部ケース６内に取り付けた状態で、ねじ固定部材３０に下部ケース７をビス３８によって固定しているので、上部ケース６と下部ケース７とを強固に固定することができ、これにより耐衝撃性を確保することができる。
【００６０】
すなわち、上部ケース６と下部ケース７とが６個のビス２９によって装置本体１の四隅と中間部の両側とで締結されているほかに、これら６個のビス２９で固定されていない箇所、つまり表示パネル２の両側に位置する上部ケース６と下部ケース７との箇所を一対のねじ固定部材３０によって固定することができるので、装置本体１の落下による衝撃や装置本体１のねじれに対して、表示パネル２の両側に位置する上部ケース６と下部ケース７との剛性を十分に確保して、その両者の間に落下による衝撃や装置本体１のねじれによって隙間が発生するのを確実に防ぐことができる。
【００６１】
この場合、ねじ固定部材３０は、上部ケース６内にビス３６によって着脱可能に強固に固定され、この状態で下部ケース７がビス３８によって取り付けられる際、密着連結部３３の湾曲面３３ｂが下部ケース７の内面に密着するので、装置本体１の落下による衝撃や装置本体１のねじれに対して、表示パネル２の両側に位置する上部ケース６と下部ケース７との間に隙間が生じるのを確実に防ぐことができると共に、ねじれによる変形をも確実に防ぐことができ、これにより防水性をも図ることができる。また、ねじ固定部材３０は、上部ケース６に着脱可能に取り付けられているので、上部ケース６に対する取付作業が簡単で容易にできる。
【００６２】
また、この携帯端末装置では、上部ケース６と下部ケース７とがビス２９およびねじ固定部材３０で固定されていない箇所に、上部ケース６と下部ケース７とを接合した際、その相互のずれを防止するための第１、第２の各ずれ防止部４０、４１がそれぞれ設けられているので、装置本体１の落下による衝撃や装置本体１のねじれによって、上部ケース６と下部ケース７とがビス２９およびねじ固定部材３０で固定されていない箇所における装置本体１が変形するのを確実に防ぐことができる。
【００６３】
すなわち、上部ケース６と下部ケース７とがビス２９およびねじ固定部材３０で固定されていない箇所は、第１ずれ防止部４０の凹部に第２ずれ防止部４１の凸部が嵌合することにより、上部ケース６と下部ケース７とが接合された際に、上部ケース６と下部ケース７との各周縁部に互いに係合する段差部を設けることができなくても、第１、第２の各ずれ防止部４０、４１の相互の嵌合によって、上部ケース６と下部ケース７とのねじれによるずれを確実に防ぐことができ、これによっても防水性を図ることができる。
【００６４】
さらに、この携帯端末装置では、握り部５に、フック部２７ａを有する電池蓋２７が着脱可能に取り付けられる電池収納部１７が設けられており、この電池収納部１７に、その電池開口部１７ａの全周に亘って防水パッキン４３が圧入するパッキン溝４２が設けられていると共に、このパッキン溝４２の外周側に位置してフック部２７ａが挿入するフック挿入凹部４４が、電池収納部１７の内部側と下部ケース７の下部側とに開放された状態で設けられているので、電池収納部１７の防水性を防水パッキン４３によって確保することができると共に、上部ケース６と下部ケース７を成形する際、上金型と下金型のみで、下部ケース７にフック挿入凹部４４を容易に形成することができる。
【００６５】
すなわち、下部ケース７のフック挿入凹部４４は、図２０に示すように、電池収納部１７の内部側に向けて開放されて形成されていると共に、下部ケース７の下部側にも開放されて形成されていることにより、下部ケース７のフック挿入凹部４４を成形用金型で形成する場合、スライドコアを用いずに、上金型と下金型のみで、下部ケース７にフック挿入凹部４４を形成することができる。
【００６６】
これにより、成形用金型の構造が単純化し、金型費用を下げることができ、これにより製造コストを下げることができる。また、防水パッキン４３のパッキン溝４２を電池収納部１７の全周に連続させて形成することができるので、防水性を確保することができると共に、電池蓋２７の着脱時にパッキン溝４２からの防水パッキン４３の脱落を防ぐことができ、このため、より一層、防水性を高めることができる。
【００６７】
また、この携帯端末装置によれば、表示パネル２がシリコーンなどのゴム材料からなるパネルホルダ４７によって表示パネル２の表示領域を除いて包み込まれ、この状態で硬質の合成樹脂からなるパネルフレーム４８に収容されて上部ケース６内に取り付けられているので、落下などの衝撃を受けても、その衝撃をシリコーンなどのゴム材料からなるパネルホルダ４７によって吸収することができ、これにより落下などの衝撃から表示パネル２を確実に保護することができるので、耐衝撃性の高いものを得ることができる。
【００６８】
この場合、パネルホルダ４７は、表示パネル２の周縁部および表示パネル２の背面を覆っているので、背面側からの衝撃をパネルホルダ４７の背面全体で受け止めることができ、これにより緩衝効果が大きく、表示パネル２を確実に保護することができる。特に、パネルホルダ４７の背面に凹凸形状の段差部５０ｂが設けられていることにより、より一層、緩衝効果を高めることができる。また、表示パネル２と第１回路基板１０とのグランド接続は、コイルばねからなる接続ばね５３で接続されているので、装置本体１が衝撃を受けても、その衝撃を接続ばね５３で吸収することができ、これにより表示パネル２と第１回路基板１０との電気的な接続を確実に維持することができる。
【００６９】
特に、この接続ばね５３は、第１回路基板１０の弾接する端部５３ｂに抜止め突起５３ｃが設けられているので、接続ばね５３をパネルフレーム４８のばね挿入孔５４に挿入する際、接続ばね５３の抜止め突起５３ｃをばね挿入孔５４の挿入溝５４ｂに挿入させながら、接続ばね５３を円形孔５４ａ内に挿入した後、接続ばね５３を回して、抜止め突起５３ｃを挿入溝５４ｂに対応しない位置に移動させることにより、組立て時にパネルフレーム４８を上下反転させても、接続ばね５３がパネルフレーム４８から脱落するのを防ぐことができ、これにより組立て作業性の向上を図ることができる。
【００７０】
さらに、この携帯端末装置によれば、装置本体１内に設けられたカメラユニット１５が、カメラ本体５６と、このカメラ本体５６を覆って保護するシリコーンなどのゴム材料からなカメラホルダ５８および緩衝シート６０と、このカメラホルダ５８および緩衝シート６０を覆うシールドケース６１と、このシールドケース６１で覆われたカメラホルダ５８を収容するカメラケース６２とを備えているので、カメラ本体５６の耐衝撃性を確保することができる。
【００７１】
すなわち、カメラユニット１５は、カメラ本体５６がカメラホルダ５８と緩衝シート６０とで覆われ、このカメラホルダ５８と緩衝シート６０とがシールドケース６１を介して硬質の合成樹脂からなるカメラケース６２に収容されているので、カメラ本体５６をカメラホルダ５８と緩衝シート６０とで保護して耐衝撃性を確保することができると共に、装置本体１に強固に組み付けることができる。
【００７２】
また、装置本体１が落下などの衝撃を受けた際には、シリコーンなどのゴム材料からなカメラホルダ５８および緩衝シート６０によって衝撃を吸収することができるので、耐衝撃性の高いものを得ることができるほか、カメラ本体５６がシールドケース６１で覆われているので、カメラ本体５６がノイズの影響を受けないように、確実に且つ良好に保護することができる。
【図面の簡単な説明】
【００７３】
【図１】この考案の携帯端末装置の一実施形態を示した正面図である。
【図２】図１の携帯端末装置の裏面図である。
【図３】図１のＡ−Ａ矢視における拡大断面図である。
【図４】図１の上部ケースにおける内部を示した斜視図である。
【図５】図４における表示パネル側のモジュールを示した正面図である。
【図６】図５のＢ−Ｂ矢視における拡大断面図である。
【図７】図５の右側面図である。
【図８】図５の左側面図である。
【図９】図５のＣ−Ｃ矢視における拡大断面図である。
【図１０】図５の裏面図である。
【図１１】図９のＡ部の拡大断面図である。
【図１２】図１０のＢ部を示した拡大斜視図である。
【図１３】図４の上部ケースにおける表示搭載部を示した拡大斜視図である。
【図１４】図１３のねじ固定部材を示した分解斜視図である。
【図１５】図１のＤ−Ｄ矢視における上部ケースと下部ケースとを示した断面図である。
【図１６】図１５における表示搭載部側の要部を拡大して示した分解断面図である。
【図１７】図１６を装置本体の外部から見た分解側面図である。
【図１８】図１５において装置本体の上辺側の隅部を拡大して断面で示した斜視図である。
【図１９】図１８を分解して示した斜視図である。
【図２０】図２の握り部における電池収納部を示した要部の拡大斜視図である。
【図２１】図２０のＥ−Ｅ矢視における拡大断面図である。
【図２２】図２１の電池収納部を下側から見た分解斜視図である。
【図２３】図５における表示パネルとパネルホルダとを分解して示した拡大斜視図である。
【図２４】図２３を裏面側から見た拡大斜視図である。
【図２５】図２３の表示パネルをパネルフレームに組み付けた状態の拡大正面図である。
【図２６】図２５の分解斜視図である。
【図２７】図２５のＦ−Ｆ矢視における拡大断面図である。
【図２８】図２５のＧ−Ｇ矢視における拡大断面図である。
【図２９】図２７のＣ部を示した拡大断面図である。
【図３０】図２８のＤ部を示した拡大断面図である。
【図３１】図２６において接続ばねによる接続状態を断面で示した拡大斜視図である。
【図３２】図２６のＥ部を示した拡大斜視図である。
【図３３】図４のカメラユニットを示した拡大断面図である。
【図３４】図３３のカメラユニットにおいてカメラ本体、カメラホルダ、緩衝シートを上下反転して示した分解斜視図である。
【図３５】図３３のカメラホルダ、シールドケース、カメラケースを示した分解斜視図である。
【図３６】図３５のカメラホルダにシールドケースを取り付けた状態を示し、（ａ）はその拡大断面図であり、（ｂ）は（ａ）の各Ｆ部を示した拡大断面図である。
【符号の説明】
【００７４】
１  装置本体
２  表示パネル
３  表示搭載部
４  キーボード
５  握り部
６  上部ケース
７  下部ケース
８  モジュール
１０、１６  第１、第２の各回路基板
１１〜１４  第１〜第４の各アンテナ
１５  カメラユニット
１７  電池収納部
１７ａ  電池開口部
２７  電池蓋
２７ａ  フック部
２９、３６、３８  ビス
３０  ねじ固定部材
３１  上部取付部
３２  下部取付部
３３  密着連結部
３４  固定ボス
４０、４１  第１、第２の各ずれ防止部
４２  パッキン溝
４３  防水パッキン
４４  フック挿入凹部
４５  補助部材
４７  パネルホルダ
４８  パネルフレーム
５３  接続ばね
５３ｃ  抜止め突起
５６  カメラ本体
５８  カメラホルダ
６０  緩衝シート
６１  シールドケース
６２  カメラケース
【図１】
0003145023.tif 000003
【図２】
0003145023.tif 000004
【図３】
0003145023.tif 000005
【図４】
0003145023.tif 000006
【図５】
0003145023.tif 000007
【図６】
0003145023.tif 000008
【図７】
0003145023.tif 000009
【図８】
0003145023.tif 000010
【図９】
0003145023.tif 000011
【図１０】
0003145023.tif 000012
【図１１】
0003145023.tif 000013
【図１２】
0003145023.tif 000014
【図１３】
0003145023.tif 000015
【図１４】
0003145023.tif 000016
【図１５】
0003145023.tif 000017
【図１６】
0003145023.tif 000018
【図１７】
0003145023.tif 000019
【図１８】
0003145023.tif 000020
【図１９】
0003145023.tif 000021
【図２０】
0003145023.tif 000022
【図２１】
0003145023.tif 000023
【図２２】
0003145023.tif 000024
【図２３】
0003145023.tif 000025
【図２４】
0003145023.tif 000026
【図２５】
0003145023.tif 000027
【図２６】
0003145023.tif 000028
【図２７】
0003145023.tif 000029
【図２８】
0003145023.tif 000030
【図２９】
0003145023.tif 000031
【図３０】
0003145023.tif 000032
【図３１】
0003145023.tif 000033
【図３２】
0003145023.tif 000034
【図３３】
0003145023.tif 000035
【図３４】
0003145023.tif 000036
【図３５】
0003145023.tif 000037
【図３６】
0003145023.tif 000038
【手続補正書】
【提出日】平成20年7月14日(2008.7.14)
【手続補正１】
【補正対象書類名】明細書
【補正対象項目名】００２２
【補正方法】変更
【補正の内容】
【００２２】
第２アンテナ１２は、携帯電話の通信に使用するアンテナ（ＧＳＭ（登録商標）アンテナ）であり、図５〜図７、および図１０に示すように、表示搭載部３内における表示パネル２の一方の側辺部側（図５では右辺部側で、図１０では左辺部側）に対応する箇所に設けられて、第１回路基板１０と電気的に接続されている。この第２アンテナ１２は、モノポールアンテナであり、受信面積を広くするためにフイルム基板にアンテナ線をパターン形成したシート状に構成されている。
【手続補正２】
【補正対象書類名】明細書
【補正対象項目名】００２６
【補正方法】変更
【補正の内容】
【００２６】
第４アンテナ１４は、近距離通信に使用するＢｌｕｅＴｏｏｔｈ（登録商標）アンテナであり、図６および図９に示すように、装置本体１内における表示パネル２の下面側に位置する第１回路基板１０に設けられている。この第４アンテナ１４は、チップ形状のアンテナであり、図６および図９に示すように、第２アンテナ１２から離れた位置で、且つ表示パネル２の中心から第３アンテナ１３側に偏った位置に設けられている。また、この第４アンテナ１４は、装置本体１の下面に取り付けられる機能増設用のオプションボックス(図示せず)を回避するようにも設けられている。
【手続補正３】
【補正対象書類名】明細書
【補正対象項目名】００５２
【補正方法】変更
【補正の内容】
【００５２】
次に、このような多機能型の携帯端末装置を使用する場合について説明する。
この携帯端末装置は、例えば運送業に使用され、荷物の情報をスキャナ１９で取り込み、第１アンテナ１１（ＧＰＳアンテナ）で配送センターと交信し、第２アンテナ１２（ＧＳＭ（登録商標）アンテナ）でデータの授受を行い、配達先の顧客のサインを表示パネル２のタッチパネル１８で取り込み、荷物を搭載したコンテナの損傷などをカメラユニット１５のカメラ本体５６で撮影する。また、この携帯端末装置は、配送センターから呼び出された際に、スピーカ（図示せず）で警報を発し、マイクロホン（図示せず）で音声メモが可能になっている。さらに、この携帯端末装置は、装置本体１の背面にオプションボックス（図示せず）を取り付けて機能を増設できるようになっている。
【手続補正４】
【補正対象書類名】明細書
【補正対象項目名】００５７
【補正方法】変更
【補正の内容】
【００５７】
また、携帯電話の通信（ＧＳＭ（登録商標））に使用する第２アンテナ１２は、フイルム基板にアンテナ線をパターン形成したシート状に構成され、装置本体１の内側面の高さとほぼ同じ幅で、且つ装置本体１の内側面に沿って長く形成されているので、受信面積を十分に広くすることができ、これにより受信性能を確保することができる。この場合、第２アンテナ１２は、マグネシウムのダイカスト製の金属板２３に取り付けられているので、第２アンテナ１２の接地面積を広くして受信性能を十分に高めることができる。